(57)【要約】【課題】  優れた消費電力等の運転負荷低減効果を達成することができ、かつ、耐久性に優れた通風遮光ネット構造を提供することを目的とする。【解決手段】  通気性を有する遮光シートと、室外機周りに配置した前記遮光シートが張られた遮光シート枠と、を有する通風遮光ネット構造１０であって、前記遮光シート枠が、前記室外機の吸込口が陰となるように被覆し吸込口の面との隙間を２０ｃｍ以上とする吸込口遮光部１１と、前記室外機の排気口の排気方向と前記室外機の前記吸込口の吸気方向との間に配置される吸排気短絡防止部１２とを有し、前記遮光シートの遮光率が７０％以上９５％以下であり、前記遮光シートの強度が８５０Ｎ以上であり、前記遮光シートの伸度が３０％以上である通風遮光ネット構造１０。【選択図】  図２
2019132478.tif 000002
【特許請求の範囲】
【請求項１】
通気性を有する遮光シートと、室外機周りに配置した前記遮光シートが張られた遮光シート枠と、を有する通風遮光ネット構造であって、
前記遮光シート枠が、前記室外機の吸込口が陰となるように被覆し吸込口の面との隙間を２０ｃｍ以上とする吸込口遮光部と、前記室外機の排気口の排気方向と前記室外機の前記吸込口の吸気方向との間に配置される吸排気短絡防止部とを有し、
前記遮光シートの遮光率が７０％以上９５％以下であり、前記遮光シートの強度が８５０Ｎ以上であり、前記遮光シートの伸度が３０％以上である通風遮光ネット構造。
【請求項２】
前記室外機の点検口側に設けられる室外機遮光部を有する請求項１記載の通風遮光ネット構造。
【請求項３】
前記吸込口遮光部が、吸込口の面との隙間を１００ｃｍ以下とする請求項１または２記載の通風遮光ネット構造。
【請求項４】
前記遮光シートの目付量が、２００ｇ／ｍ2以上３００ｇ／ｍ2以下である請求項１〜３のいずれかに記載の通風遮光ネット構造。
【請求項５】
前記遮光シートの通気率が、２５％以上４５％以下である請求項１〜４のいずれかに記載の通風遮光ネット構造。
【請求項６】
前記遮光シートが、高密度ポリエチレン樹脂組成物の糸をラッセル編みした組織である請求項１〜５のいずれかに記載の通風遮光ネット構造。
【請求項７】
前記高密度ポリエチレン樹脂組成物が、黒色顔料および、紫外線吸収剤、光安定剤、酸化防止剤等の耐候剤からなる添加剤群から選択される少なくとも１以上を含有する請求項６記載の通風遮光ネット構造。
【発明の詳細な説明】
【技術分野】
【０００１】
本発明は通風遮光ネット構造に関する。
【背景技術】
【０００２】
建物の周囲に設置される空調装置の屋外機（室外機）は、夏季には直射日光に曝されたりし、高温となるため、熱効率が低下し消費電力が高くなるという問題があった。これを解決するために、例えば、特許文献１は、屋外機の周囲に組み立てられるフレームと、このフレームに装着されて屋外機に被蓋される通風遮光ネットとを有する空調装置の屋外機の通風遮光ネット装置が開示されている。
【０００３】
また、特許文献２には、複数の空調室外機の各外気吸込口よりも上方位置に架け渡され、前記空調室外機間の空間を上下に遮熱する遮熱シートを有する空調室外機用遮熱具が開示されている。また、特許文献３〜５には、よしずや簾のように使用するような日除けシートや、農業用などに用いる遮光シート、屋根の上に設置される屋根用シートなどが開示されている。なお、作物栽培用の遮光シート等として用いることができるシートとしては、例えば特許文献６〜９が開示されている。
【先行技術文献】
【特許文献】
【０００４】
【特許文献１】実用新案登録第３１７１９４５号公報
【特許文献２】特許第５４９７１１９号公報
【特許文献３】特開２００１−３１１２８４号公報
【特許文献４】特開２００１−６１３５７号公報
【特許文献５】特開２００９−２２１８３７号公報
【特許文献６】特開２０００−０１４２５６号公報
【特許文献７】特開２００８−１８４６９７号公報
【特許文献８】特開平９−２６２０２９号公報
【特許文献９】特開２０１７−０５５６８６号公報
【発明の概要】
【発明が解決しようとする課題】
【０００５】
特許文献１〜９に開示されているように、空調設備の室外機周りや、屋根に、遮光ネット（シート）などを配置し、遮光することが検討されている。
特許文献１には、屋外機の上部や側部被蓋する構造が開示されているが屋外機に対してどのようなシートで具体的にどのように被蓋することが有効か不明な点がある。
特許文献２には、空調室外機用遮熱具が開示されているが、室外機が複数配置されていることを前提にし、吸気口間の上方に設置された遮熱シートのため、単独の室外機でも効果を奏する構造は不明である。また、具体的な遮熱シートの仕様が不明であり、どのような遮熱シートを用いればその効果を得ることができるか不明であった。
特許文献３〜９は、それぞれ日除けシート、被覆用シート、屋根用シート、作物栽培用シート等に関するもので、いずれも一定の遮光性を示すものであるが、空調機周辺での使用については不明である。
【０００６】
これらの室外機や屋根については、天候や季節の影響を大きく受ける。これは、前述の特許文献等でも課題とされている夏場は直射日光に照らされたり、熱風にさらされて温度が上昇することが一つ目の問題である。一方、冬場は、雪や寒気の影響で、温度が下がりすぎて、室外機のフィンが凍結したり、暖房効果が屋根を介して低下しやすいといった問題が生じることもある。これらの季節変動を踏まえて、季節ごとに遮光ネット等を変更すると管理の負担が大きくなる。
【０００７】
前述したような夏場と冬場との相違等も踏まえると、これらの遮光ネット等の構造にはさらなる改良の余地があると考えられる。特に、さらに優れた消費電力等の低減効果や、長期信頼性を向上させるための耐久性を達成することが求められていた。
【０００８】
係る状況下、本発明は、優れた消費電力等の運転負荷低減効果を達成することができる通風遮光ネット構造を提供することを目的とする。
【課題を解決するための手段】
【０００９】
本発明者らは、特に室外機の通風遮光についてさらなる検討を行った。その結果、屋根等に設置される日除けシート等の思想のみでは室外機の通風遮光としては不足する点が多岐にわたり採用しにくく、室外機の運転負荷軽減の効果が安定しなかったり得られなかったりする場合があることがわかった。
【００１０】
室外機の場合、室外機自体が吸排気するために、その吸排気による気流が室外機の運転負荷にも大きな影響を与えていることが分かった。よって、単に室外機の全体の面を同様に通風遮光するように被覆しても室外機の運転負荷を軽減することはできない場合がある。
【００１１】
特許文献２でも前述のように複数の空調室外機の各外気吸込口よりも上方位置に架け渡され、前記空調室外機間の空間を上下に遮熱する構造として開示するにとどまっている。このような構造は室外機が複数配置されていない場合は採用することもできないし、室外機のごく一部のみが遮熱されるだけで効果は限定的である。
【００１２】
このような室外機特有の課題を解決するにあたっては、室外機の気流の影響も考慮して、適切な被覆を行い遮光通風することが必要となる。このために通風遮光に適したネットを適切な配置で設けることが重要であることを見出した。
【００１３】
本発明者は、これらの知見を踏まえて上記課題を解決すべく鋭意研究を重ねた結果、下記の発明が上記目的に合致することを見出し、本発明に至った。
【００１４】
すなわち、本発明は、以下の発明に係るものである。
＜１＞  通気性を有する遮光シートと、室外機周りに配置した前記遮光シートが張られた遮光シート枠と、を有する通風遮光ネット構造であって、
前記遮光シート枠が、前記室外機の吸込口が陰となるように被覆し吸込口の面との隙間を２０ｃｍ以上とする吸込口遮光部と、前記室外機の排気口の排気方向と前記室外機の前記吸込口の吸気方向との間に配置される吸排気短絡防止部とを有し、
前記遮光シートの遮光率が７０％以上９５％以下であり、前記遮光シートの強度が８５０Ｎ以上であり、前記遮光シートの伸度が３０％以上である通風遮光ネット構造。
＜２＞  前記室外機の点検口側に設けられる室外機遮光部を有する前記＜１＞記載の通風遮光ネット構造。
＜３＞  前記吸込口遮光部が、吸込口の面との隙間が１００ｃｍ以下である前記＜１＞または＜２＞記載の通風遮光ネット構造。
＜４＞  前記遮光シートの目付量が、２００ｇ／ｍ2以上３００ｇ／ｍ2以下である前記＜＞〜＜３＞のいずれかに記載の通風遮光ネット構造。
＜５＞  前記遮光シートの通気率が、２５％以上４５％以下である前記＜１＞〜＜４＞のいずれかに記載の通風遮光ネット構造。
＜６＞  前記遮光シートが、高密度ポリエチレン樹脂組成物の糸をラッセル編みした組織である前記＜１＞〜＜５＞のいずれかに記載の通風遮光ネット構造。
＜７＞  前記高密度ポリエチレン樹脂組成物が、黒色顔料および、紫外線吸収剤、光安定剤、酸化防止剤等の耐候剤からなる添加剤群から選択される少なくとも１以上を含有する前記＜６＞記載の通風遮光ネット構造。
【発明の効果】
【００１５】
本発明の通風遮光ネット構造を室外機に適用することで、室外機の負荷を低下させて消費電力等の低減を達成することができる。また、その夏季や冬季など年間を通して室外機の運転負荷を抑制する。
【図面の簡単な説明】
【００１６】
【図１】本発明が適用される室外機の構成概要を示す斜視図である。
【図２】本発明の第一の実施形態に係る通風遮光ネット構造の構成概要を示す斜視図である。
【図３】本発明の第一の実施形態に係る遮光ネットと遮光ネット枠との構成概要を示す斜視図である。
【図４】本発明の第一の実施形態に係る通風遮光ネット構造の吸込口遮光部の構成概要を示す側面図である。
【図５】本発明の第一の実施形態に係る通風遮光ネット構造の吸排気短絡防止部の構成概要を示す側面図である。
【図６】本発明の実施例に用いた遮光シートの外観を示す写真である。
【図７】本発明の実施例にかかる電力消費量を示すグラフである。
【発明を実施するための形態】
【００１７】
以下に本発明の実施の形態を詳細に説明するが、以下に記載する構成要件の説明は、本発明の実施態様の一例（代表例）であり、本発明はその要旨を変更しない限り、以下の内容に限定されない。なお、本明細書において「〜」という表現を用いる場合、その前後の数値を含む表現として用いる。
【００１８】
［室外機］
本発明の第一の実施形態に係る通風遮光ネット構造を、説明するにあたり、まず、図１に室外機の構成概要図を示す。室外機には様々な形式があるが、例えば図１に示すように、室外機２は吸込口２１と排気口２２とを備え、点検口２３等を備えている。一般的には室外機２は筐体状であり、筐体内に熱交換システムが内蔵されている。室外機２は、空調対象となる建物や部屋の室内機（図示せず）と配管で連結されており、その配管を通して、冷房・暖房等の目的に応じた熱交換を、室外機２や室内機それぞれで行う。そして、冷風や暖風等を室内機で建物や部屋に送風し、一方、室外機２もその運転に応じた熱交換を行い暖風や冷風等を排気する。室外機２は、通常屋外に設置され、その設置場所や季節等の環境影響を受けやすい。本発明はこのような室外機２にかかる環境影響起因の負担を抑制するものである。本発明は、室外機２に図示するものに限らず、吸気、排気の口の数や方向に制限はなく室外機全般に適用することができる。
【００１９】
［第一の実施形態］
本発明の第一の実施形態を図２に示す。図２は、図１に示す室外機２に通風遮光ネット構造１０を設置した状態の全体概要を示す斜視図である。以下においては、室外機２の吸込口２１側から見たときを室外機２および通風遮光ネット構造の正面として説明する。
【００２０】
図３は、通風遮光ネット構造１０の室外機２上面の周囲に配置した遮光シート３１と遮光シート枠３２とを説明するための斜視図である。図４は、通風遮光ネット構造１０の吸込口遮光部１１を説明するための通風遮光ネット構造１０の側面図である。図５は、通風遮光ネット構造１０の吸排気短絡防止部１２を説明するための室外機２および通風遮光ネット構造１０の側面図である。
【００２１】
［通風遮光ネット構造１０］
図２に示す通風遮光ネット構造は、図１に示した室外機２に取り付けた通風遮光ネット構造１０である。図３に通風遮光ネット構造１０の室外機上面に配置したものを例に説明する。通風遮光ネット構造１０は、通気性を有する遮光シート３１と、室外機周りに配置した前記遮光シートが張られた遮光シート枠３２と、を有する。すなわち、遮光シート枠３２の枠組みを設けて、その枠組みに遮光シート３１を張ったものを用いて、室外機に通風遮光ネット構造を設置する。遮光シート３１の遮光率は７０％以上９５％以下であり、遮光シート３１の強度は８５０Ｎ以上であり、遮光シート３１の伸度は３０％以上である。
【００２２】
［吸込口遮光部１１］
この通風遮光ネット構造１０は、図２に示すように、遮光シート３１が、室外機２の吸込口２１が陰となるように被覆し吸込口２１の面との隙間を２０ｃｍ以上とする吸込口遮光部１１を有する。図４を用いて吸込口遮光部１１についてさらに詳しく説明する。吸込口遮光部１１は、遮光シート３１を張った遮光シート枠３２を用いて、室外機２の周囲に設置される。
【００２３】
吸込口遮光部１１は、吸込口２１が陰となるように被覆するものである。このため、日光の光線Ｌ１が日中ほとんど吸込口２１を照らすことが無いように設置される。
【００２４】
吸込口遮光部１１は、図４に示すように室外機２の吸込口２１の上端側以上の鉛直方向の高さの位置から吸込口２１を遮光シート３１により覆うように設置した構造である。より具体的には、吸込口遮光部１１は、室外機２の吸込口２１側を室外機２の正面としたとき、この正面に対向するように鉛直方向に設けた遮光シート面１１１と、吸込口２１側の面の上端から水平方向に遮光シート面１１１側に延伸した遮光シート面１１２と、吸込口２１側の面の側部側から吸込口２１の面と垂直方向に遮光シート面１１１側に延伸した遮光シート面１１３とを有する。そして、吸込口遮光部１１は、吸込口２１の周囲に日陰領域１１ａをなす構成である。
【００２５】
この日陰領域１１ａをなすことで、吸込口２１は、日陰領域１１ａを通り、日陰領域１１ａにより季節や時間の影響が抑えられた、温和な気体の吸気Ｆ１を吸い込む。遮光シートは通気性も有するため、吸気Ｆ１は日陰領域１１ａの外部から日陰領域１１ａ側に安定して吸い込まれる。
【００２６】
このように吸込口遮光部１１を有し日陰領域１１ａをなすことで、室外機２は夏場の特に日中などは直射日光により温度が上昇した空気ではなく、日陰領域１１ａを介した空気を吸い込むものとなる。また、室外機２自体、特に吸込口２１周辺の温度上昇も防止することができ、過熱状態での運転を避けることができる。このため、室外機２の運転負荷は抑制され、低負荷で安定した運転が可能となり消費する電力も低減できる。
【００２７】
また、冬場のように気温が下がる時期や特にその夜間は、冷風が吹いたり雪・雨などの影響で室外機２の周囲温度が低すぎて、その温度差を解消するために室外機２の運転負荷が高くなる場合がある。しかし、本実施形態に示すような吸込口遮光部１１を有し日陰領域１１ａをなすことで、吸込口２１の周囲での冷たい風などの影響での大きな温度変化影響等を抑制でき、冬場なども、室外機２の運転負荷は抑制され、低負荷で安定した運転が可能となり消費する電力も低減できる。
【００２８】
この吸込口遮光部１１は、室外機の吸込口が陰となるように被覆し吸込口の面との隙間を２０ｃｍ以上とする。この隙間は、室外機２における吸込口２１の面と、その吸込口２１に対向する遮光シートの距離であり、図４に示す吸込口２１の面と遮光シート面１１１との距離ｄ１である。この距離ｄ１が２０ｃｍよりも近すぎる場合、吸込口２１の周囲に十分な日陰領域１１ａが得られず、日陰領域１１ａによる運転負荷抑制効果等を得られない場合がある。また、吸込口２１は空気を吸い込むが、遮光シート面１１１が近すぎる配置となり空気の吸込みを阻害して却って運転負荷が高くなる場合がある。このため、距離ｄ１は２０ｃｍ以上とする。
【００２９】
この距離ｄ１は、２５ｃｍ以上が好ましく、３０ｃｍ以上がより好ましい。一方、その効果が得られる範囲で任意の範囲まで広げても良いが、過剰に遠くに配置しても日陰領域１１ａをなすことによる効果は飽和し、室外機設置場所の制限により設置が困難であったり、通行や点検時に弊害となる恐れがあるため、上限を設けても良い。この距離ｄ１の上限としては１００ｃｍ以下が好ましく、８０ｃｍ以下がより好ましい。
【００３０】
［吸排気短絡防止部１２］
図２に示すように、通風遮光ネット構造１０は、室外機２の排気口２２の排気方向と室外機２の吸込口２１の吸気方向との間に配置される吸排気短絡防止部１２を有している。
【００３１】
図５は吸排気短絡防止部１２を説明するための図であり、室外機２の側面方向から見た図である。図５（ａ）は通風遮光ネット構造を設ける前の室外機２における吸排気を説明するための図である。
【００３２】
図５（ａ）に示すように、室外機２は、吸込口２１から吸気Ｆ１を吸込み、室外機内で熱交換等に利用され、排気口２２から排気Ｆ２が排出される。この吸気Ｆ１と排気Ｆ２とには温度差があるが、通常、室外機２はこれらの吸排気が十分に分離されるように設計されている。しかしながら、室外機２の設置場所の周囲に壁があったり、風が強かったり、室外機２の周囲に遮光シート等を設けたりすると、吸排気短絡（いわゆるショートサーキット）が生じて排気Ｆ２が、吸気Ｆ１に流れ込む短絡流Ｆ３が生じてしまう場合がある。この吸排気短絡が生じると、排気Ｆ２の気体よりも温度差が生じるように室外機２内で熱交換等を行う必要が生じてしまうため、運転負荷が高くなる。
【００３３】
本発明の実施形態においては、この吸排気短絡を防止するために、遮光シートが張られた遮光シート枠による吸排気短絡防止部１２を有する。この吸排気短絡防止部１２は、図５（ｂ）に示すように、室外機２の排気Ｆ２方向と、室外機２の吸気Ｆ１方向との間に配置される。この吸排気短絡防止部１２により、短絡流Ｆ３を防止できる。この吸排気短絡防止部１２は、前述した吸込口遮光部をなす遮光シート枠と共通する遮光シート枠を用いた構造であってもよい。すなわち、図４における遮光シート面１１２が吸排気短絡防止部１２および吸込口遮光部１１の一部となるものであってよい。
【００３４】
［室外機遮光部１３］
本実施形態の通風遮光ネット構造１０は、さらに、室外機２の点検口２３側に設けられる室外機遮光部１３を有する。前述した吸込口遮光部１１と、吸排気短絡防止部１２とを設けることで季節変動等による室外機２の運転負荷を大幅に抑制することができる。これに加えて、室外機２が設置される場所や環境等に応じて許容される範囲で、さらに室外機周辺に遮光シート等を用いて室外機遮光部１３を設けることができる。
【００３５】
この室外機遮光部１３は、室外機２の点検口２３の面に対向する位置などに設けることができる。なお、ここで点検口とは、室外機２の吸込口が設けられた面と、排気口が設けられた面以外の面のいずれもを呼ぶものとする。この点検口の面には、室外機の筐体の一部をなす面としての板部が単に設けられていたり、室内機との連結のための配管等が接続されていたり、室外機内の点検や管理のための各種センサー表示部や開口部等が設けられている。
【００３６】
この点検口２３のいずれかの面に対して、対向するように遮光シートが１面以上設けられ、室外機２との間に日陰領域や、調空領域がなされるものを室外機遮光部１３とする。室外機遮光部１３は、吸込口遮光部１１の吸込口２１の面に対する遮光シート３１の配置と共通する位置や隙間の考え方により、吸込口２１の面に代え点検口２３の面に対して配置されるように遮光シート枠３２を設けることができる。この室外機遮光部１３を、少なくとも点検口２３の面のいずれかに設けることで、吸込口遮光部１１や吸排気短絡防止部１２と協働して、室外機２は複数の方向から日光や風等の影響が抑えられるものとなる。これにより、より室外機２の運転負荷をさらに抑制することができる。
【００３７】
［遮光シート枠］
遮光シート３１は、遮光シート枠３２に張られて、所定の位置に配置される。そして、この遮光シート３１を張った遮光シート枠３２により、吸込口遮光部１１や吸排気短絡防止部１２、室外機遮光部１３が設けられる。この遮光シート枠（遮光シート枠３２）には、遮光シートを張る枠組となるものであれば、任意のものを用いることができる。例えば、棒状体や、板状体を各遮光シートによる面の辺となる位置に配置したり、板状体の遮光シート配置部を開口させたロ字状や、コ字状の枠・板などを用いてもよい。室外機の形状や、その配置場所等により、通風遮光ネット構造は適宜調整して設置されるため、鉄パイプなどの棒状体を用いて枠組を作り、当該棒状体に遮光シートを巻き付けたり、遮光シートを取り付けるためのジョイント部を当該棒状体に設けたり、遮光シートを当該棒状体に固定冶具により固定することが好ましい。
【００３８】
［遮光シート］
本発明においては、通気性を有する遮光シート（遮光シート３１）を用いる。この遮光シートは、遮光率が７０％以上９５％以下であり、強度が８５０Ｎ以上であり、伸度が３０％以上である。以下、遮光シートの特性についてさらに詳しく説明する。
【００３９】
本発明に用いる遮光シートは、遮光率が７０％以上９５％以下である。室外機は一般に屋外に設置され、日光により室外機が熱せられることによる運転負荷上昇などが問題となるため、この日光を遮光することが有効となる。このため所定の遮光率を達成する遮光シートを用いる。遮光率が７０％以上とすることで、日光による室外機の昇温を防止することができる。遮光率の下限は好ましくは７５％以上、より好ましくは８０％以上である。
【００４０】
一方、遮光シートは室外機周辺での室外機の吸排気のための気流に影響を与えすぎないほうが良い。このため通気性を有する遮光シートを用いるが、通気性を維持するために遮光シートは孔を有し、その孔から光が透るため遮光性は９５％以下が好ましい。また、冬場は光が透ることで室外機周囲が冷たくなりすぎることも抑制できる。遮光率の上限は、９３％以下が好ましく、９０％以下がより好ましい。遮光率は、ＪＩＳ  Ｌ１０５５（２００９）Ａ法により測定することができる。
【００４１】
本発明に用いる遮光シートは、強度が８５０Ｎ以上である。遮光シートが一定の強度を有することで、遮光ネット構造の施工性が向上し、室外機の吸排気による撓み等も抑制できる。遮光シートの強度が低すぎる場合、遮光シート枠に遮光シートを張る際、張る力により破れたり、連結具により傷が生じやすくなったり、外に配置されていることから何らかのものが衝突したときに容易に裂ける恐れがある。このような観点から、遮光シートの強度は、８５０Ｎ以上である。より好ましくは９００Ｎ以上である。一方、その強度は特に上限を定めなくてもよいが、遮光シートとして汎用することができるような樹脂製シートの物性としての上限や、施工時の裁断・補修・撤去等の取り扱い性を考慮して、強度の上限を設けてもよい。強度の上限としては、１５００Ｎ以下や、１４００Ｎ以下、１３００Ｎ以下、１２００Ｎ以下とすることができる。
【００４２】
遮光シートは、一般に数十ｍ以上のシート帯状体を巻き取った巻体として製造されたものが用いられる。本発明に用いる遮光シートの強度は、この帯状体として、製造時のシートの流れ方向（ＭＤ）であるタテ方向と、その流れ方向に直交する方向（ＴＤ）のヨコ方向との二方向の強度に関するものである。また、この強度・伸度は通風遮光ネット構造の設置時（例えば設置後２か月以内程度）に測定した値とすることが好ましい。
【００４３】
本発明に用いる遮光シートは、伸度が３０％以上である。遮光シートが一定の伸度を有することで、施工時の操作性に優れ、室外機の吸排気等による気流に対して適度に受け流す程度の撓みも可能となる。遮光シートの伸度が低すぎる場合、遮光シート枠に張りにくかったり、長期間使用する際に季節要因による伸縮や、物の衝突等により破れやすくなる場合がある。このような観点から、遮光シートの伸度は３０％以上である。好ましくは３５％以上であり、より好ましくは３８％以上である。一方、その伸度は特に上限を定めなくても良いが、強度同様に樹脂製シートの物性の上限や、伸度が高く撓みすぎることで吸排気により変形したり、吸い込まれたりすることを防止するために、伸度の上限を設けても良い。伸度の上限としては、２００％以下や、１５０％以下、１００％以下、８０％以下、６０％以下とすることができる。
【００４４】
本発明に用いる遮光シートの強度と伸度は、ＪＩＳ  Ｌ１０９６（２０１０）８．１４．１に記載の方法により測定する。ラベルドストリップ法より、試験機の種類は定速伸長形、試験片の幅は５０ｍｍ、つかみ間隔は２００ｍｍ、引張速度は２００ｍｍ／分として、試験片数５つの平均値とする。
【００４５】
本発明に用いる遮光シートは、特許文献６〜９を参照して糸や織（編）構造を選択して製造することができる。より具体的には、本発明に用いる遮光シートは、熱可塑性樹脂を用いて製造することができる。熱可塑性樹脂としては、例えば、ポリプロピレン、ポリエチレン等のポリオレフィン樹脂、ポリエチレンテレフタレート等のポリエステル樹脂、ポリビニルアルコール、ポリ塩化ビニル、ポリスチレン、ポリアミド等があげられる。本発明に用いる遮光シートは、高密度ポリエチレン樹脂組成物の糸をラッセル編みした組織であることが好ましい。このような遮光シートとすることで、本発明に求められる遮光率等を満足し、優れた効果を奏し、耐久性にも優れた通風遮光ネット構造とすることができる。
【００４６】
高密度ポリエチレン樹脂組成物は、高密度ポリエチレン樹脂を基材の樹脂として、適宜、色材や、紫外線吸収剤、光安定剤、酸化防止剤等の耐候剤からなる添加剤群を含有する組成物である。このような高密度ポリエチレン樹脂を用いることで、強度や伸度等に優れた遮光シートとすることができる。
【００４７】
遮光シートを形成する糸は、撚糸でも不撚糸でもよい。糸自体の強度や伸度、編織構造の遮光シートへの適用しやすさを考慮すると、好ましくは、モノフィラメントやフラットヤーン、スプリットヤーンなどを適宜使用することができ、特にモノフィラメントやフラットヤーンが好ましく用いられる。遮光シートに用いられる糸の太さは、１００デシテックス（ｄｔｅｘ）〜２０００デシテックス程度のものが適宜用いられる。この糸の太さは、織形状のタテ糸か、挿入糸かに応じても適宜選択される。糸がこれより細い場合、強度や伸度を達成しにくく、かつ、糸自体の面積が少なくなりやすいため遮光性を調整しにくい場合がある。また、これより太い糸は、糸としての延伸が不十分であり耐久性が低かったり、シートを形成するための打ち込み本数が相対的に低くなるため、シートの耐引裂き性が低下する場合がある。
【００４８】
本発明に用いる遮光シートは、編織構造のものが好ましい。編織構造に用いる糸の太さや種類により遮光性や機械強度を調整することができ、編織構造間の孔から通気することができる点で適している。編織構造としては、平織りや、絡み織り、ラッセル編み等の任意の編織構造を採用することができる。特に、遮光性、機械強度、通気性、量産性を維持しつつ、長期間の屋外使用によっても損傷が生じにくいことから、ラッセル編みとすることが好ましい。
【００４９】
ラッセル編みとするとき、タテ糸には、好ましくは３００〜５００ｄｔｅｘ、より好ましくは３５０〜４５０ｄｔｅｘの糸を用いることが好ましい。一方、挿入糸には、好ましくは８００〜１２００ｄｔｅｘ、より好ましくは９００〜１１００ｄｔｅｘの糸を用いることが好ましい。このような範囲の糸を採用することで、本発明に用いる遮光性シートとしての遮光性、機械強度、通気性を達成しやすい。
【００５０】
本発明に適したラッセル編みの編織構造は、例えば、タテ糸（経糸、クサリ）をモノフィラメント２本通しで編み込んだものに、挿入糸（緯糸）を６Ｅ間・６目分（１目約４ｍｍ）を、モノフィラメントの挿入糸と、テープヤーンの挿入糸とを１本置き交互に糸が重なるように編み込んだものを用いることができる。
【００５１】
本発明に用いる遮光シートは、目付量が、２００ｇ／ｍ2以上３００ｇ／ｍ2以下であることが好ましい。本発明に用いられる遮光シートは、遮光性が高く、室外機の吸排気の影響を受けにくく屋外での長期使用に耐えるために機械強度の高いものが用いられる。一般に本発明に用いられる遮光シートに求められる遮光率を達成する遮光シートは、目付量が２００ｇ／ｍ2未満、主に１００〜１８０ｇ／ｍ2程度とされることが多い。これは一般的な遮光シートは農作物を作成するときの農業用などで日陰を作るための屋根部等として用いられるため、遮光率と同時に広範に簡易な枠組みで張りやすいものとするための軽さが求められるためである。一方、本発明においては、遮光シートにより覆った室外機周辺での温度変化等を抑制し、長期使用のための強度等も求められるものの、覆う範囲は室外機周辺と限定的で、遮光シート枠により補強しながら使用する。よって重量感や安定感のあるものが好ましく用いられ、目付量が多いシートを用いる弊害も少ない。このような観点から、前述したような目付量のシートを用いることが好ましい。
【００５２】
目付量が少なすぎる場合、遮光性が低下しやすかったり、通気性が高すぎて調温性、特に冬場の保温性が低下することがある。一方、目付量を多くしすぎると、遮光性が高くなりすぎたり、通気性が低くなりすぎたり、施工時に取り扱いにくくなる場合がある。目付量の下限は、２２０ｇ／ｍ2以上が好ましく、２３０ｇ／ｍ2以上がより好ましい。目付量の上限は、２８０ｇ／ｍ2以下が好ましく、２６０ｇ／ｍ2以下がより好ましい。目付量は、遮光シートを裁断し面積あたりの重さを測定した結果から、単位面積あたりの目付量に換算することで求めることができる。
【００５３】
本発明に用いる遮光シートは、通気率が、２５％以上４５％以下であることが好ましい。通気率がこの範囲のとき、遮光シートを挟んだ各領域間での空気の移動が適度に生じ、遮光シートを用いた通風遮光ネット構造としての室外機運転負荷の抑制効果が優れたものとなる。通気率が高すぎる場合、遮光シートが吸排気短絡防止部として機能せず短絡流が生じたり、冬場の保温性等が低下したり、日陰領域での温和な空気が得られずに通風遮光ネットの外気をそのまま吸気して運転負荷の抑制効果が得られない恐れがある。一方、通気率が低すぎる場合、通気性が不足して、吸気量が足りずに適切な空調効果が得られなかったり、室外機の運転負荷が高くなる恐れがある。
【００５４】
通気率は、断面積２０ｃｍ2のパイプに一定の風を吹き込み、パイプに何も取り付けずにパイプを通過するブランクの風量と、パイプにシートを取り付けたときのパイプを通過するシートありの風量とを測定し、「シートありの風量／ブランクの風量」の比について１０回試験時の平均値に基づいて、その通気率（％）として求めるものである。同一シートの場所を少し変えて、３回測定した平均を、そのシートの通気率とする。なお、サンプルとサーキュレーターとの距離は６０ｃｍとし、サンプルと風量測定器の距離を２０ｃｍとして測定する。
【００５５】
本発明に用いる遮光シートは、遮光シートに用いられる高密度ポリエチレン樹脂組成物が、黒色顔料および、紫外線安定剤、耐候剤からなる群から選択される少なくとも１以上を含有することが好ましい。黒色顔料を含有することで、遮光性や耐候性を向上させやすくなる。更に紫外線吸収剤や光安定剤を含有することで、屋外で日光に曝露される遮光シートの耐候性がより向上する。これらの耐候剤を含有することで、寒暖差が生じ通年で使用される通風遮光ネット構造の遮光シートとしても優れた耐候性を示す。
【００５６】
黒色顔料としては、カーボンブラックを用いることができる。この黒色顔料は他にも有機顔料や無機顔料、アクリル樹脂ビーズ、混合顔料等がある。高密度ポリエチレン樹脂組成物に、希釈比（質量比）１０／１００〜１／１００程度の顔料濃度のマスターバッチを添加し、シート全体の高密度ポリエチレン樹脂組成物における顔料濃度として、例えば、０．１〜５．０重量％や、０．５〜３．０重量％とすることができる。
耐候剤としては、重金属不活性化剤のヒドラジド系・アミド系；紫外線吸収剤のベンゾトリアゾール系・ベンゾフェノン系・トリアジン系；ラジカル補足剤のＨＡＬＳ・フェノール系酸化防止剤；過酸化物分解剤のリン系酸化防止剤・イオウ系酸化防止剤などを用いることができる。また、顔料同様に、シート全体の高密度ポリエチレン樹脂組成物における耐候剤濃度として、例えば、０．１〜５．０重量％や、０．５〜３．０重量％とすることができる。
【００５７】
本発明に用いる遮光シートは、耐候性に優れたものであることが好ましい。この耐候性は、本発明に用いる遮光シートが、主に屋外で使用されることから、紫外線に対して優れた耐候性を有することが好ましい。この指標としては、ＪＩＳ  Ｌ１０９６（２０１０）に準拠して強度や伸度を測定し、その加速試験を行った時の変化を用いることができる。耐候性評価用の強度や伸度には、試験機を用いて、試験片の幅は２５ｍｍ、つかみ間隔は１００ｍｍ、引張速度は１００ｍｍ／分として、試験片数３つの平均値で求めることができる。加速試験は、メタルハライドランプ方式試験機により行い、連続照射にて、放射照度１００ｍＷ／ｃｍ2（波長２９５〜４５０ｎｍ）、ＢＰ温度６３℃（±３℃）、湿度６０ＲＨ％（±５％）で、１００時間や、３００時間、５００時間照射する。この所定時間の照射後の強伸度を求める強度や伸度の保持率を指標とすることができる。本発明に用いる遮光シートとしては、強度や伸度の１００時間保持率で８０％以上が好ましい。また、３００時間保持率で５０％以上がより好ましい。また、５００時間保持率で３０％以上がさらに好ましい。
【００５８】
［通風遮光ネット構造］
前述したような構造に基づいて、本発明の通風遮光ネット構造は、さらに季節や天候に応じた変形が可能なように設置しても良い。例えば、室外機の上部側で、遮光シートにより覆う範囲を可変に調整できるようなシート枠構造として、夏場はシート枠構造を上部に移動させて、遮光シートで閉じない範囲を上部に設けて通気口とし外気との循環性を向上させたり、冬場はシート枠構造を下降させて、室外機の吸込口周辺を遮光シートで十分に閉じるように覆うことで外気と循環しにくいものとして保温性を向上させることができる。
【実施例】
【００５９】
以下、実施例により本発明を更に詳細に説明するが、本発明は、その要旨を変更しない限り以下の実施例に限定されるものではない。
【００６０】
［設置条件］
鹿児島県内のホテルの屋上に設置された２台の室外機を、室外機Ａと、室外機Ｂとして、試験を行った。一方の室外機を対照試験として従来のままの通風遮光ネット構造等を設けずに使用するブランクとし、他方に本発明に係る通風遮光ネット構造を設置した実施例として、本発明による効果を確認する試験をおこなった。なお、運転条件や設置場所の影響を確認するために、ＡとＢのブランク、実施例は運転時期により変更して試験した。
室外機（ダイキン社製「ＲＺＹＰ２８０ＡＡ」  高さ１６８０ｍｍ・幅９３０ｍｍ・奥行７６５ｍｍ）は、図１に準ずる構成で、室外機上部に排気口を有し、側面と背面側に吸込口を有し、他の側面に点検口を有し、室外機下部に足場による空間があり室内機との配管が室外機下部の空間を介して設けられた構造である。
【００６１】
［試験期間］
（１）  ８／２０〜８／２４（期間中平均気温２８．７５℃）
室外機Ａ：実施例（通風遮光ネット構造あり）、室外機Ｂ：ブランク
（２）  ９／７〜９／１１（期間中平均気温２５．９７℃）
室外機Ａ：ブランク、室外機Ｂ：実施例（通風遮光ネット構造あり）
【００６２】
［遮光シート］
黒色顔料を含有する高密度ポリエチレン樹脂組成物を用いて、ラッセル編み構造（打ち込み本数６本／インチ）の遮光シートを製造した。主な仕様は以下のものである。また、この遮光シートの外観を示す写真を図６に示す。
・経糸：４２０デシテックス・モノフィラメント
・挿入糸：１０６０デシテックス・テープ状糸
・遮光率：８５％
・強度：タテ方向９２０Ｎ、ヨコ方向９３５Ｎ
・伸度：タテ方向４５％、ヨコ方向４０％
・目付量：２４６ｇ／ｍ2
・通気率：３３．２％（通気量平均＝８．４１（ｍ3／ｈ／２０ｃｍ2））
【００６３】
［通風遮光ネット構造］
前記遮光シートを用いて、室外機の周囲に第一の実施形態に則った配置で通風遮光ネット構造を設けた。室外機の上面から、上面と並行の外方向四方に３０ｃｍ延伸させて遮光シートを張るための遮光シート枠を設け室外機上面と並行方向の遮光シートを設けた。さらに室外機側面の吸込口、点検口面と対向するように室外機上面から延伸させた遮光シート枠の下部に鉛直方向の遮光シート枠を設けて、吸込口面、点検口面と対向する遮光シートを設けた。なお、各面の下方約３０ｃｍは配管等が設けられていることから開放状態とした。これにより、室外機の上面側の排気口面を開放し、室外機の上端から全体を覆うような構造で通風遮光ネット構造が設けられている。
・吸込口遮光部
前述した通風遮光ネット構造により、吸込口面と対向して隙間（距離ｄ１）３０ｃｍの遮光シートが配置され吸込口遮光部をなす形態としている。
・吸排気短絡防止部
前述した通風遮光ネット構造により、室外機の上面と並行に延伸させた遮光シートが配置され吸排気短絡防止部をなす形態としている。
・室外機遮光部
前述した通風遮光ネット構造により、点検口面と対向して隙間３０ｃｍの遮光シートが配置され点検口遮光部をなす形態としている。
【００６４】
［結果］
各室外機の消費電力を測定した結果を、図７に示す。図７には試験期間（横軸）における、経時的な電流の変化と、消費電力の積算である有効電力量とを示す。
図７の上段のグラフは、８／２０〜８／２４の試験結果である。通風遮光ネット構造を設けた室外機Ａの消費電力は１７３ｋＷｈであった。一方、従来のままの室外機Ｂは２８２ｋＷｈであった。本発明により室外機Ａは約３９％の消費電力の削減が達成された。
図７の下段のグラフは、９／７〜９／１１の試験結果である。通風遮光ネット構造を設けた室外機Ｂの消費電力は１３０ｋＷｈであった。一方、従来のままの室外機Ａは２０３ｋＷｈであった。本発明により室外機Ｂは約３６％の消費電力の削減が達成された。
このように、本発明の通風遮光ネット構造を設けることで、室外機が吸込む気流を温和なものとしたり、室外機自体の過熱を避けることで、室外機の負荷が抑制された。
【００６５】
なお、これらの室外機に通風遮光ネット構造を設けて通年で運転した結果、夏場のみでなく冬場も従来の同時期よりも消費電力を抑えることができた。さらに、屋外に配置され使用しているが、１年程度の使用後も大きな外観上の変化はなくメンテナンスの負担も少なかった。
【産業上の利用可能性】
【００６６】
本発明によれば、室外機の運転負荷を抑制する通風遮光ネット構造が提供される。この通風遮光ネット構造を設けた室外機は、その運転負荷が抑制されて、使用電力の低減等にも資する。
【符号の説明】
【００６７】
１０  通風遮光ネット構造
１１  吸込口遮光部
１２  吸排気短絡防止部
１３  室外機遮光部
１１１、１１２、１１３  遮光シート面
１１ａ  日陰領域
２  室外機
２１  吸込口
２２  排気口
２３  点検口
３１  遮光シート
３２  遮光シート枠
【図１】
2019132478.tif 000003
【図２】
2019132478.tif 000004
【図３】
2019132478.tif 000005
【図４】
2019132478.tif 000006
【図５】
2019132478.tif 000007
【図６】
2019132478.tif 000008
【図７】
2019132478.tif 000009